(57)【要約】【技術課題】津波発生時に避難者を安全に誘導する標識を提供する。【解決手段】避難誘導標において、支柱１に対し、ソーラーパネル４を取り付けると共に、内部に前記ソーラーパネル４により発生した起電力を充電する電気二重層コンデンサ及びこのコンデンサを電源として発光するＬＥＤ５及びソーラーパネル４からの電圧を検出してＬＥＤ５の発光を制御するソーラーシステム２を取り付ける。そして、前記支柱１の上部正面であってＬＥＤ５により照らされる位置に、津波時の避難方向を示す図形、文字、現在地の海抜と避難場所までの距離等の避難情報を表示した各種避難誘導標識を取り付ける。【選択図】図１
0003120788.tif 000002
【実用新案登録請求の範囲】
【請求項１】
津波時の避難方向を示す図形、文字、現在地の海抜と避難場所までの距離等の津波避難情報を表示した避難誘導標識を表示すると共に、ソーラーパネルからの起電力を電源として発光する発光体により前記避難誘導標識を照明するように構成して成る避難誘導標。
【請求項２】
前記ソーラーパネルからの起電力を電気二重層コンデンサに充電し、この電気二重層コンデンサを電源として前記発光体を発光させることを特徴とする請求項１に記載の避難誘導標。
【請求項３】
前記ソーラーパネルからの起電力の大きさを検出し、この大きさが一定値以下となったときに前記発光体に充電電流を供給し、大きさが一定値以上となった時に前記発光体に対する充電電流の供給を停止する電源制御回路を設けたことを特徴とする請求項１又は２の何れか１項に記載の避難誘導標。
【請求項４】
前記ソーラーパネルからの起電力を充電する蓄電池と、この蓄電池に蓄電された電力を電源として発光する発光体と、周囲が一定値以上の暗さとなった時に前記蓄電池内の電力を発光体に供給して発光させ、周囲が一定値以上の明るさとなった時に前記発光体に対する電力の供給を停止するための昼夜検出センサから成る電源制御回路を設けたことを特徴とする請求項１に記載の避難誘導標。
【請求項５】
前記発光体にＬＥＤを用いると共に、このＬＥＤを点滅させる点滅回路を前記電源制御回路に付加し、更に、蓄光性塗料を用いて津波避難情報を表示した避難誘導標識を取り付けたことを特徴とする請求項１から４の何れか１項に記載の避難誘導標。
【請求項６】
前記電源制御回路に、一定の震度以上の時に駆動する避難誘導音声回路を付加したことを特徴とする請求項１から５の何れか１項に記載の避難誘導標。
【請求項７】
支柱の上部正面に、蓄光性塗料を用いて津波避難情報を表示した避難情報標識を取り付けて成る避難誘導標。
【考案の詳細な説明】
【技術分野】
【０００１】
本考案は、津波発生時に、海岸近くの人々を安全な避難場所に誘導するために、海岸や道路、あるいは公園、広場等において地上に立設される避難誘導標に関する。
【背景技術】
【０００２】
津波発生時に、海岸近くの住民、あるいは行楽客等を安全な避難場所に誘導するために工夫された標識はなく、現在公知の避難誘導標としては、次のようなものが公知なだけである。
【特許文献１】特開２００５−０１６３０２号  この内容は、災害発生時に罹災者に対して避難情報を提供する避難誘導標識であって、地面に立設されたポール１６の高位置に、避難場所名と避難場所の方向が記載されると共に、避難場所の設備を絵文字（ヒクトグラフ）にて示した設備標示部を備えてなる避難場所標示１を取り付けたものである。避難場所の設備としては、例えば、情報、医師による救護活動、救急医療、非常飲用水、非常食料、トイレ（仮設を含む。）などである。ポール１６の低位置には、高齢者の注意を喚起させる認識マーク９と、点字による避難場所標示部１０を設けたことを特徴とするものである。
【特許文献２】特開平１０−１０５０９５号  この内容は、災害時のための避難誘導標識を人々の目にふれやすい場所に設置し、夜間も視認しやすいよう自発光式とし、しかも街の景観を傷つけないデザイン構成を目指し、表示面を太陽電池式内照標識とし、太陽電池の発電・蓄電を低温から高温までの巾広い温度範囲に稼働しうるものとして電気二重層コンデンサを活用する構成とし、加えて太陽電池の発電パネルを表示部と同一平面に設置することを可能にして景観上でもスマートな構成としたものである。
【特許文献３】特開２００１−０５１６３２号  この内容は、一般的な非常灯は、内部より照明表示するため、停電時や建物へ電線の断線で電気が供給されなくなると機能しなくなる恐れがあり、そのため、常時は消灯しておき停電等の非常時に自動的に点灯する非常時点灯方式を採用し、非常灯の電源を別途設けたりする方法や蓄電池をもって主電源より電流が供給されなくても暫くは非常灯が点灯し続けるようにしたりする必要性を無くすために、蓄光材を重量比で１０〜４０％含有させた透明樹脂を成型して避難の方向場所を指示するサインプレート１とし、このサインプレート１を不透明着色樹脂プレート２に嵌め込み固定したことを特徴とするものである。
【考案の開示】
【考案が解決しようとする課題】
【０００３】
しかし、上記公知例は、何れも地震や火災等の発生時に、住民等を安全な場所に誘導するものであって、津波警報が出た際、どの方向に逃げて行くのが一番安全なのかを被災者に知らせ、誘導する標識は無い。特に、津波発生時には、高台への避難が最も安全な方法であるが、この高台への道を安全に誘導する標識はない。
【０００４】
本考案は、このような現状に鑑みて提供されるものであって、津波発生時に、被災者を安全な高台まで誘導するのに有効な避難誘導標を提供するのが目的である。
【課題を解決するための手段】
【０００５】
上記目的を達成するため、請求項１に記載の考案においては、避難誘導標において、津波時の避難方向を示す図形、文字、現在地の海抜と避難場所までの距離等の津波避難情報を表示した避難誘導標識を表示すると共に、ソーラーパネルからの起電力を電源として発光する発光体により前記避難誘導標識を照明するように構成して成ることを特徴とするものである。
このように、ソーラーシステムを用いて夜間、避難誘導標識を照らすことにより、暗闇でも避難方向が良く解り、誘導効果を高めることができると共に、特に、海抜を表示したことにより、現在、どの程度の海抜のところに居て、それがどの程度津波に対して安全な海抜か、等を知ることができる。
【０００６】
更に、請求項２に記載の考案においては、請求項１に記載の避難誘導標において、前記ソーラーパネルからの起電力を電気二重層コンデンサに充電し、この電気二重層コンデンサを電源として前記発光体を発光させることを特徴とするものである。
【０００７】
更に、請求項３に記載の考案においては、請求項１又は２の何れか１項に記載の避難誘導標において、前記ソーラーパネルからの起電力の大きさを検出し、この大きさが一定値以下となったときに前記発光体に充電電流を供給し、大きさが一定値以上となった時に前記発光体に対する充電電流の供給を停止する電源制御回路を設けたことを特徴とするものである。
【０００８】
更に、請求項４に記載の考案においては、請求項１に記載の避難誘導標において、前記ソーラーパネルからの起電力を充電する蓄電池と、この蓄電池に蓄電された電力を電源として発光する発光体と、周囲が一定値以上の暗さとなった時に前記蓄電池内の電力を発光体に供給して発光させ、周囲が一定値以上の明るさとなった時に前記発光体に対する電力の供給を停止するための昼夜検出センサから成る電源制御回路を設けたことを特徴とするものである。
【０００９】
更に、請求項５に記載の考案においては、請求項１から４の何れか１項に記載の避難誘導標において、前記発光体にＬＥＤを用いると共にこのＬＥＤを点滅させる点滅回路を前記電源制御回路に付加し、更に、蓄光性塗料を用いて津波避難情報を表示した避難誘導標識を取り付けたことを特徴とするものである。
この考案によると、ＬＥＤの点滅で避難者の注意を喚起できると共に、蓄光性塗料を用いた避難誘導標の作用により、夜間でも視認性が高まる。電気回路の場合、特に、潮風に影響されて経年的にトラブルの心配があるが、このようなトラブルの心配がなく、メンテナンスは拭き取りくらいで良く、維持管理に手がかからない。
【００１０】
更に、請求項６に記載の考案においては、請求項１から５の何れか１項に記載の避難誘導標において、前記電源制御回路に、一定の震度以上の時に駆動する避難誘導音声回路を付加したことを特徴とするものである。
このように、避難誘導音声回路が付加されていると、音声ガイドが入るため、目の不自由な人にも避難方向が解り安全対策としての有効性が高まる。
【００１１】
更に、請求項７に記載の考案においては、避難誘導標において、支柱の上部正面に、蓄光性塗料を用いて津波避難情報を表示した避難情報標識を取り付けて成ることを特徴とするものである。
この考案によると、製作コストが安いと共に、蓄光性塗料を用いた避難誘導標の作用により、夜間でも視認性が高まる。
【考案の効果】
【００１２】
本考案によると、津波発生時に海岸の住民及び海遊び等をしていた被災者に対し、その避難方向と、特に現在地の海抜を知りながら避難できる点において、例えばもっと海抜の高いところまで急いで避難する必要があるのか、あるいはもう安全な海抜のところまで避難して来たかがひと目で解り、被災者の緊張感や不安を少しでも和らげることができる。
【実施例１】
【００１３】
図１〜図６に基づいて、請求項１〜４及び６に記載した考案の実施例を詳細に説明する。
図１は標識の正面図、図２は側面図、図３は標識部の拡大正面図、図４は標識部の拡大側面図、図５はソーラーパネル部を上方から見た説明図、図６はＡ−Ａ′線断面図である。
これら各図において、符号の１は、下端側１ａを土中のコンクリートブロックに建て込んで立設された支柱（避難誘導標）であって、この支柱１は、図６に示すように、アルミニウム材を用いて成形した中空体から成り、上端１ｂには、ソーラーシステム２が取り付けられている。
【００１４】
このソーラーシステム２は、支柱１の上端１ｂに取付けられた外筐３の上面に、ソーラーパネル４を組み込むと共に、内部に前記ソーラーパネル４により発生した起電力を充電する電気二重層コンデンサ及びこのコンデンサを電源として発光する下向きのＬＥＤ（発光体）５及び前記ソーラーパネル４とコンデンサとＬＥＤ５を結ぶ電源制御回路内に取り付けられた電圧検出センサとから成り、電源制御回路は、電圧検出センサが一定値以下の電圧を検出した時に、閉成されてＬＥＤ５を発光し、一定値以上の電圧を検出した時に電源制御回路を開放してＬＥＤ５の発光を停止する構成である（請求項１、２、３）。
但し、上記ソーラーパネル４からの起電力は、充電池に充電し、電圧検出センサに代えて、昼夜検出センサ６でＬＥＤ５の発光を制御するように構成しても良い（請求項４）。
【００１５】
７は、支柱１の上部の正面に形成された標識部であって、この標識部７には、海抜０ｍから６０ｍまでを、１０ｍ刻みで、縦に帯状に色分けして表記した海抜表示８と、この海抜表示８の横に、現在地の海抜を矢印で表示した現在地表示９と、津波避難場所として、「中央公園」を表示した避難場所表示１０と、この「中央公園」までの距離を矢印１１とメートルで表示した距離表示１２と、避難誘導イラスト７ａが描かれていて、前記ＬＥＤ５は、上方から各表示を夜間において照らし、見やすくしている。
上記実施例１は、ＬＥＤ照明タイプの避難誘導標識である。
【実施例２】
【００１６】
本実施例２は、請求項５に記載の考案に対応しており、図７及び図８にその詳細を示す。
この図７及び図８において、実施例１の場合、ＬＥＤ５は標識部７を照らしていたが、本実施例２においては、避難している者に、標識を意識させるためにＬＥＤ５を正面に向け、かつ点滅させるようにしたものである。このタイプにおいて標識部７の各表示手段には蓄光性塗料が用いられていて、夜間になると、この各表示が蓄光性塗料の作用で発光し、各表示を視認できるようにしている。
なお、上記した実施例１、２において、ソーラーシステム２内に、一定の震度以上になると音声で避難誘導する回路を付加しても良い（請求項６）。
図７、８において、実施例１の説明で用いた符号と同一のものは、同一物を指しており、重複を避けるためにその説明は省略する。
【実施例３】
【００１７】
本実施例３は、請求項７に記載の考案に対応しており、図９及び図１０にその詳細を示す。
この図９及び図１０において、実施例１、２との違いは、ソーラーシステム２が除かれていて、標識部７の各表示が蓄光性塗料で表示されている。この実施例３の標識によると、夜間においては、蓄光性塗料の作用で各表示が発光し、視認しやすいばかりでなく、低コストにより標識を製作することができる。
図９、１０において、符号の１３はキャップである。
図９、１０において、実施例１で用いた各符号と同一のものは、同一物を指しており、重複を避けるためにその説明は省略する。
【産業上の利用可能性】
【００１８】
上記実施例１、２、３は全て津波発生時に避難誘導するためのものであるが、標識部７の内容を変えることで、その他の災害発生時の避難誘導用に利用することもできる。
【図面の簡単な説明】
【００１９】
【図１】避難誘導標の正面図
【図２】避難誘導標の側面図
【図３】標識部の拡大正面図
【図４】標識部の拡大側面図
【図５】ソーラーパネルを上方から見た説明図
【図６】Ａ−Ａ′線断面図
【図７】ＬＥＤ点滅と蓄光性塗料を用いて標識部を形成した標識の正面図
【図８】ＬＥＤ点滅と蓄光性塗料を用いて標識部を形成した標識の側面図
【図９】蓄光性塗料を用いて標識部を形成した標識の正面図
【図１０】蓄光性塗料を用いて標識部を形成した標識の側面図
【符号の説明】
【００２０】
１  支柱
２  ソーラーシステム
３  外筐
４  ソーラーパネル
５  ＬＥＤ
６  昼夜センサ
７  標識部
８  海抜表示
９  現在地表示
１０  避難場所表示
１１  矢印
１２  距離表示
１３  キャップ
【図１】
0003120788.tif 000003
【図２】
0003120788.tif 000004
【図３】
0003120788.tif 000005
【図４】
0003120788.tif 000006
【図５】
0003120788.tif 000007
【図６】
0003120788.tif 000008
【図７】
0003120788.tif 000009
【図８】
0003120788.tif 000010
【図９】
0003120788.tif 000011
【図１０】
0003120788.tif 000012